(57)【要約】【課題】  ペットへの着装が容易で簡単に作製ができ、表裏いずれも使用することが可能で安価量産に好適する四足ペット用衣服を提供すること。【解決手段】  一枚の布地１を裁断して前部左右に花弁状片２を形成し、その下部に連なる凹円部３と後部の大羽根片５の間に突出片４を形成する。花弁状片２と突出片４に、相互の端部同士を貼着する止着体１０を取り付け、左右の大羽根片５に相互を貼着する止着体１１を取り付ける。【選択図】図１
0003125220.tif 000002
【実用新案登録請求の範囲】
【請求項１】
一枚の布地を裁断して前部左右に花弁状片を形成し、花弁状片の下部に連なる凹円部と後部の大羽根片の間に突出片を形成し、しかして花弁状片と突出片に、相互の端部同士を貼着する止着体を取り付けるとともに、左右の大羽根片に相互を貼着する止着体を取り付けてなる四足ペット用衣服。
【請求項２】
花弁状片と突出片、及び左右の大羽根片に取り付ける止着体が、面ファスナー若しくはボタンないしホックであることを特徴とする請求項１記載の四足ペット用衣服。
【請求項３】
止着体相互の係合に幅を持たせて花弁状片と突出片、及び大羽根片相互が所定範囲内で任意の位置までずらして貼着できることを特徴とする請求項２記載の四足ペット用衣服。
【請求項４】
布地の両面に各種色彩模様を施すことを特徴とする請求項１〜３のいずれかに記載の四足ペット用衣服。
【考案の詳細な説明】
【技術分野】
【０００１】  本考案は、１枚の布地から簡単に作製される四足ペット用衣服に関する。
【背景技術】
【０００２】  犬・猫などのペットに着させる衣服には、Ｔシャツのようにあらかじめ所定の形、例えば全体を円筒状に形成して頭と足を開口部から突出させる構造のもの（例えば特許文献１参照）が一般であるが、羽織のように背中から被せる形式の衣服も提案されている（例えば特許文献２及び３参照）。
【特許文献１】特許公開２００５−６５５８９号公報
【特許文献２】登録実用新案第３００７２７８号公報
【特許文献３】登録実用新案第３１１０７８３号公報
【考案の開示】
【考案が解決しようとする課題】
【０００３】  特許文献１の衣服は、犬の胸部及び背部を包み込む胴包部と、この胴包部の上端中央を開口するように形成した首開口部と、胴包部の両側を開口するようにして形成された脚開口部と、胴包部の下端を開口するようにして形成された胴開口部とを備えてなる構造で、夜目に光る蓄光性顔料を糸にコーティングしてペットの存在を認識させるというものである。この衣服は、胴包部を一旦ペットの頭に被せてから開口部より頭を突出させ、同じように両前足を開口部から突出させて被せる手法をとっている。しかしながら、このように衣服を頭から被せることはペットにとっては苦痛となるもので、取外すにもすんなりとはいかない煩わしさがある。しかも衣服はあらかじめ完成された形状であるためペットの体によってはだぶついたり、きつすぎるといった不具合があり、ペット毎に作製しなければならないという問題がある。【０００４】  特許文献２の衣服は、着脱が容易でペットの動きに対応でき、排泄時にも汚れがつかないことを目的としたもので、衣服本体の背部にタックを設け、前身頃を前衿の下方より脇の下方に向け斜めに切除し、前衿の裏に紐の基端を縫着し、片側の脇に反対側の紐の挿通用切り込み孔を設ける構成としている。この衣服は羽織のような形をしており、本体の左右にある袖口に相当する開口部から両足を出し、ペットの背中から本体を被せて紐を胴体に回して背中で括ることを特徴としている。この衣服ではペットの頭から本体を被せる必要がないためペットが騒ぐことなく着衣させることができるが、構造が複雑で縫製作業を必要とするため安価量産には向かず、また着装させる場合も紐で括るなどの手数を要し、括り具合によっては胴体が締めつけられるなどの問題もあった。【０００５】  特許文献３の衣服は、方形状の薄物の生地を全体を二つに等分し、その各生地の前・後方側の下端縁に夫々小穿孔と大穿孔を設け、小穿孔の前方側に縦方向に大きな縦溝孔を設けてなるもので、犬に着せる場合は、頭部分を除いて生地を胴体の上から被せるようにするとともに前後の両足は穿孔部分から突出させることを特徴としている。この衣服によると一枚の方形生地から形成しているので携帯に便利で取り付けも簡単であるなどの利点を有するとされるが、前後の両足が穿孔若しくは切込溝から突出することとなっているため両足の間隔若しくは前後の足の間隔が一致しないと都合よく着装できないという問題がある。すなわち犬により、また犬の大きさによって前後の両足の間隔は一様でなく、たとえ大きさの異なる生地を複数作製しても、前後の足の間隔と穿孔とが合致するとは限らず、また同じ大きさの犬であっても、太った犬と痩せた犬では両足の出る位置が異なるため同じ大きさの生地を用いても必ずしも適合するとは限らない。しかしてこの衣服は犬の胴体の背中から両足の位置まで覆うが腹部には及ばないので、腹部をカバーすることにはならないという不利を有している。【０００６】  本考案はこのような従来の問題点に鑑みてなされたもので、全体を一枚の布地で形成できて作製が簡単であり、サイズの異なるペットにも十分対応でき、ペットがリラックスした状態で着装させることができ且つ胴体周りに被せることのできる、安価量産に好適する四足ペット用���服を提供することを目的としている。
【課題を解決するための手段】
【０００７】  上記目的を達成するために本考案は、一枚の布地を裁断して前部左右に花弁状片を形成し、花弁状片の下部に連なる凹円部と後部の大羽根片の間に突出片を形成し、しかして花弁状片と突出片に、相互の端部同士を貼着する止着体を取り付けるとともに、左右の大羽根片に相互を貼着する止着体を取り付けてなることを特徴としている。【０００８】  花弁状片と突出片、及び左右の大羽根片に取り付ける止着体が、面ファスナー若しくはボタンないしホックであることを特徴とする。【０００９】  止着体相互の係合に幅を持たせて花弁状片と突出片、及び大羽根片相互が所定範囲内で任意の位置までずらして貼着できることを特徴とする。【００１０】  前記布地の両面に各種色彩模様を施すことを特徴とする。
【考案の効果】
【００１１】  本考案の衣服は、全体が１枚の布地で構成され、余分なパーツを必要としないので裁断機で型抜き形成でき、したがって一回の工程で得られるとともに、作製に熟練を要さないため誰でもが作業でき、生地に無駄も少ないため安価量産に好適する。【００１２】  花弁状片と突出片の端部同士を貼着すると両側にペットの両足がでる足出口が前部に形成され、また大羽根片同士を貼着すると前部にペットの首頭が出る首出口が形成され、同時に円筒状となった大羽根片によってペットの胴体を覆うことができる。それゆえ止着体で貼着する前にペットに布地をかぶせ、然る後止着体で所定個所を貼着すれがペットに無理なく着装できて手間がかゝらない。【００１３】  止着体が面ファスナー、ボタン、ホックのいずれかであり、布地に簡単に取り付けできてさほどの費用もかゝらず、夫々の取付部位は片方が布地の表面で他方が布地の裏面に位置するため、布地を裏返しても同じように貼着でき、表裏関係なくペットに取り付けできるため布地の両面に色彩模様を施しておけば、夫々の模様を楽しむことができる。【００１４】  止着体相互の係合に幅を持たせると足出口、首出口のいずれも左右の間隔調節ができるため、ペットの大きさに応じて無理なく着装させることができる。
【考案を実施するための最良の形態】
【００１５】  図面に基づき本考案を説明すると、図１において１は布地であり、２は前部（図では上部）の左右に形成した花弁状片で、上端が中央に向かってやゝ弧状に窪んでおり、両端部２ａは下に向かい幅広に傾斜形成され、その下端に連なって凹円部３があり、布地１の後部（図では下部）に、蛸頭形をした大羽根片５が拡開形成されている。そして凹円部３と大羽根片５の間に内端部４ａを前記花弁状片２側に向けて傾斜させ且つ外端部４ｂをやゝ弧状にした突出片４を形成してあり、かくして布地１が左右対称形となり、全体があたかも蝶が羽根を広げたような外観を呈している。この蝶形の布地１は裁断機（不図示）によって一度の工程で型抜き形成される。【００１６】  前記花弁状片２の両端部２ａと突出片４の内端部４ａには花弁状片２と突出片４の端部同士を貼着する止着体１０が取り付けられ、また左右の大羽根片５同士を貼着するために止着体１１が取り付けられている。この止着体１０・１１は、図では面ファスナーを用いているが、ボタン、ホックを使用することもできる。この止着体１０・１１が面ファスナーの場合、相互の幅同士が重合時に位置づれしても係合するので、両方或いは片方に幅広のものを取り付けることで所定範囲内であれば任意の位置で貼着できる。なお止着体１０・１１は左右が布地１の同じ面ではなく、片方が表面に、他方が裏面に取り付けられ、したがって布地１の両面のいずれからでも花弁状片２と突出片４、左右の大羽根片５同士を貼着できる。【００１７】  布地１には全体若しくは一部に色彩模様１２を施すことで見栄えのよいものとなる。色彩模様１２は布地１を構成する繊維・糸にあらかじめ色彩のあるものを用いてもよく、また別体の模様生地を縫い付けるようにしてもよい。布地１はいずれが表面でいずれが裏面と定まってはいないので、両面に別の色彩模様１２を施すことで随時片方の面を表面とすることができる。【００１８】  図２は布地１の所定個所を貼着して衣服を完成させた例を示している。すなわち先ず（ａ）のように、左右の花弁状片２と突出片４を夫々内方に屈曲し、止着体１０同士を係合すると花弁状片２と突出片４の端部が夫々貼着する。こうすることによって夫々の貼着部の下面には前記凹円部３が円形孔となってペットの両足を出すことのできる足出口１３が形成される。【００１９】  次いで（ｂ）のように大羽根片５同士を円曲し、相互の止着体１１同士を係合すると、ペットの胴体を覆うことのできる筒状体１５が形成され、前部にはペットの首頭を出すことのできる首出口１４が形成される。つまり花弁状片２と突出片４の端部を貼着すると、突出片４の貼着個所を除く部分の後ろに筒状体１５が位置することになるため花弁状片２、突出片４、筒状体１５によって首出口１４がおのずから形成される。【００２０】  したがって左右の大羽根片５を貼着する前に先ずペット（図では犬）の両足を足出口１３に差し込むと自然ペットの首頭は上部の開放部分から突出する。そこで大羽根片５をペットの胴体に巻き付け、止着体１１同士を係合すれば首出口１４が形成されてペットの首回りにフィットし、また筒状体１５によって胴体が覆われるとともに後部の両足は筒状体１５の後部下方にフリーの状態で突出する。つまり尻尾を含む胴体後端と後ろ足は布地１によって拘束されることがないが、筒状体１５がその他の部分を覆うため、衣服としての機能は十分に発揮される。特に胴体後端が開放状となっているため、排泄処理を衛生的にすることができる。そして大羽根片５に施された色彩模様１２が筒状体１５の表面に外見されるため頗る見栄えのよいものとなる。この色彩模様１２は大羽根片５だけでなく、布地１の全体に施すことにより、着装したペットの前側にも配置できること勿論である。【００２１】  本考案は以上の構成であるが、花弁状片２、突出片４、大羽根片５の形状、夫々の大きさなどは図示のものに限定されず、また花弁状片２と突出片４、及び左右の大羽根片５同士の貼着も、例えば縫着などの手段を用いることでもよく、更に色彩模様１２も場合によっては省略しても差し支えがなく、その他本考案の目的効果を奏する範囲における変更も本考案の自由な実施の範疇に属する。
【図面の簡単な説明】
【００２２】
【図１】本考案全体の概略図である。
【図２】（ａ）は花弁状片と突出片を貼着して足出口を形成した説明図、（ｂ）は左右の大羽根片を貼着して筒状体を形成した説明図である。
【符号の説明】
【００２３】１    布地
２    花弁状片
２ａ  両端部
３    凹円部
４    突出片
４ａ  内端部
５    大羽根片
１０  止着体
１１  止着体
１２  色彩模様
１３  足出口
１４  首出口
１５  筒状体
【図１】
0003125220.tif 000003
【図２】
0003125220.tif 000004